(57)【特許請求の範囲】
【請求項１】
前方から見てホース収納部の右側にバルブ類収納部を形成した筐体と、
前記ホース収納部及びバルブ類収納部に対応した前記筐体の扉開口部に開閉自在に装着された消火栓扉と、
前記バルブ類収納部に配置され、ホース接続口に消火用水を供給する配管の途中に設けられた消火栓弁を含むバルブ類と、
前記消火栓弁を開閉操作する消火栓弁開閉レバーと、
前記ホース収納部に内巻きして収納されたホースと、
前記ホースの先端に装着されたノズルと、
を備えた消火栓装置に於いて、
前記消火栓弁開閉レバーを前記バルブ類収納部に配置し、
前記ホースを前記扉開口部から見て右巻きにして前記ホース収納部に収納し、
前記ノズルを前記ホース収納部と前記消火栓弁開閉レバーとの間に放水口を下向きにして配置したことを特徴とする消火栓装置。
【請求項２】
請求項１記載の消火栓装置に於いて、前記ノズルは、前記ホース収納部と前記バルブ類収納部とを区切るホースバケットに設けたノズルホルダーに着脱自在に装着されたことを特徴とする消火栓装置。
【請求項３】
請求項１記載の消火栓装置に於いて、前記バルブ類収納部は、前記ホース接続口を前記ホース収納部の下側のホース巻き込み開始位置に配管により立ち下げ、前記配管の立ち下げ部分に、前記ホース収納部に内巻きしているホース下部に滞留する消火用水を排水させる自動排水弁を設けたことを特徴とする消火栓装置。
【請求項４】
請求項１記載の消火栓装置に於いて、通線穴を形成する台座を前記ホース収納部の下側に配置してホース巻き込み開始位置を前記ホース接続口と略同レベルの高さとしたことを特徴とする消火栓装置。
【発明の詳細な説明】
【技術分野】
【０００１】
本発明は、消火栓扉をハンドル装置の操作で開いて放水ノズル付きホースを引き出して放水する消火栓装置に関する。
【背景技術】
【０００２】
従来、自動車専用道路などのトンネル内には、火災発生時に備えて消火栓装置が設置されている。
【０００３】
図７は従来の消火栓装置１００の正面図であり、図８は消火栓装置１００の消火栓扉１０４を開いた状態の内部構造の平面図であり、図９はその側面図である。消火栓装置１００の筐体１０２の前面には消火栓扉１０４と消火器扉１０６が設けられている。
【０００４】
消火栓扉１０４にはハンドルが設けられ、ハンドルを手前に引くことでロックを解除し、消火栓扉１０４を下側を回転軸に前方に開放することができる。また消火栓扉１０４と筐体１０２との間には緩衝用ダンパ１０８が設けられ、消火栓扉１０４を滑らかに開放できるようにしている。
【０００５】
消火栓扉１０４の内部には、先端にノズル１１０を装着したホース１１２を筐体内のホースバケット１１６に内巻きして収納している。ホース１１２はホースバケット１１６の側面板に開口した孔を通してホースバケット１１６内に収納される。その孔からホース１１２を引き出したときに、ホース１１２が擦れてホース表面が傷付くことを防ぐために、ホース１１２は保護管１１２ａの中を通ってホースバケット１１６内に入る。
【０００６】
消火栓扉１０４を開いてノズル１１０付きのホース１１２を引き出し、扉内に設けている消火栓弁開閉レバー１１４を操作することで消火ポンプ設備を起動して放水を行うことができる。
【特許文献１】特開２００５−３１８９７２号公報
【発明の開示】
【発明が解決しようとする課題】
【０００７】
しかしながら、このようなトンネル消火栓装置にあっては、消火栓扉１０４の内側にノズル１１０及び消火栓弁開閉レバー１１４を配置しているため、装置前方に消火栓扉１０４を全開に開放するための大きなスペースを必要とするという問題がある。
【０００８】
また、消火栓扉１０４は開放してノズル１１０によりホース１１２を引き出して放水した後にホースバケット１１６内にホース１１２を巻き戻すことになるが、その際に、開放状態にある消火栓扉１０４に作業員が乗って作業する。また、消火栓装置のバルブ類などを点検する点検作業の際にも、開放した消火栓扉１０４に点検作業者が乗って作業する。このため、消火栓扉１０４は作業員が乗った場合の重量に耐えられる堅牢の構造としており、このため消火栓扉の重量が増加し、消火栓扉を閉じる作業も大変になる。
【０００９】
この問題を解消するためには消火栓扉のサイズを小さくして軽量化することも考えられるが、軽量化のためにサイズを小さくすると筐体前面の開口部が小さくなり、ホース巻き戻し作業や保守作業のためのスペースを有効に確保できないという問題がある。
【００１０】
本発明は、消火栓扉の軽量化を図って操作性を向上するようにしたトンネル消火栓装置を提供することを目的とする。
【課題を解決するための手段】
【００１１】
本発明は、
前方から見てホース収納部の右側にバルブ類収納部を形成した筐体と、
ホース収納部及びバルブ類収納部に対応した筐体の扉開口部に開閉自在に装着された消火栓扉と、
バルブ類収納部に配置され、ホース接続口に消火用水を供給する配管の途中に設けられた消火栓弁を含むバルブ類と、
消火栓弁を開閉操作する消火栓弁開閉レバーと、
ホース収納部に内巻きして収納されたホースと、
ホースの先端に装着されたノズルと、
を備えた消火栓装置に於いて、
消火栓弁開閉レバーをバルブ類収納部に配置し、
ホースを扉開口部から見て右巻きにしてホース収納部に収納し、
ノズルをホース収納部と消火栓弁開閉レバーとの間に放水口を下向きにして配置したことを特徴とする。
【００１２】
ここで、ノズルは、ホース収納部とバルブ類収納部とを区切るホースバケットに設けたノズルホルダーに着脱自在に装着される。
【００１３】
また、バルブ類収納部は、ホース接続口をホース収納部の下側のホース巻き込み開始位置に配管により立ち下げ、配管の立ち下げ部分に、ホース収納部に内巻きしているホース下部に滞留する消火用水を排水させる自動排水弁を設ける。
【００１４】
また、通線穴を形成する台座をホース収納部の下側に配置してホース巻き込み開始位置をホース接続口と略同レベルの高さとしても良い。
【発明の効果】
【００１５】
本発明によれば、ホース収納部の右側から内巻きするノズル付きホースを、前方から見て右巻きとなるように内巻きして収納することにより、右側のホース接続口に接続したホース巻き込み開始部分をホース収納部の下側とすることができ、逆に左巻きとした場合に、ホース巻き込み開始部分がホース収納部の上側となって略半周分だけホース収納部の外側を引き回すことになる無駄がなくなり、その分、ホースを短くすることができ、ホース収納部を小さくし、結果的に筐体の薄型化を図ることができる。
【００１６】
また筐体側にノズルが放水部を下向きにして配置されているため、ノズルを取り出す際に放水部を自分に向けることがなく、安全にノズルを外してホースを引き出すことができる。また、ノズルが放水部を下向きにして配置されていることで、左右いずれの手でもノズルを容易に外すことができる。
【００１７】
また、ノズルと消火栓弁開閉レバーが消火栓扉に配置されないことで、消火栓扉のサイズを小さくしても、扉開口部に対応した筐体側の位置にノズルと消火栓弁開閉レバーを配置しておくことで、操作性及び保守性を損なうことがない。
【００１８】
更に、右巻きとしてホース収納部に下側から巻き始めることで、ホース巻き込み開始部分がホース収納部を区切るホースバケットに干渉することがなく、左巻きとしてホース収納部に上側から巻き始める際にホースバケットとの摺動を保護する部材が不要にできる。
【発明を実施するための最良の形態】
【００１９】
図１は本発明によるトンネルに設置される消火栓装置の第１実施形態を示した正面図である。図１において、消火栓装置１０は、架台１１の上に筐体１２を設置している。筐体１２は、前面に消火器収納部と消火栓収納部に対応した扉開口部１６，１７を備えた化粧板１４を取り付けた箱型形状を持っている。
【００２０】
筐体１２の右側の扉開口部１６には、消火栓扉１８と保守扉２２が設けられており、その内側となる筐体１２の内部がホース収納部及びバルブ類収納部となっている。消火栓扉１８は下側のヒンジ２１を中心に前方に開閉することができ、通常時はハンドル２０によるロックで図示の閉鎖位置に閉じており、ハンドル２０に手を入れて手前に引くとロックが外れ、開くことができる。
【００２１】
消火栓扉１８の上には、ヒンジ２３により上向に開閉する保守扉２２が設けられており、点検時に消火栓扉１８を開いて内側のロックを外すことで開くことができる。
【００２２】
消火栓扉１８の左側の扉開口部１７には通報装置扉２４が設けられ、ここに赤色表示灯２６、発信機２８、及び応答ランプ３０を設けている。赤色表示灯２６は常時点灯し、消火栓装置１０の設置場所が遠方から分かるようにしている。
【００２３】
火災時には、発信機２８を押してスイッチボタンをオンすると、発信信号が監視室の火災受信機に送信されて火災警報が出され、これに伴い応答信号が火災受信機から送られて、応答ランプ３０を点灯するようにしている。
【００２４】
扉開口部１７の左側には消火器扉３２が設けられ、消火器扉３２に対応した筐体１２の内部を消火器収納部とし、例えば２本の消火器を収納している。消火器扉３２にはハンドル３４が設けられ、ハンドル３４を手前に引くとラッチが外れ、消火器扉３２は左側をヒンジとして前方に開くことができる。
【００２５】
図２は図１の第１実施形態について消火栓扉及び保守扉を外して内部構造を示した正面図である。図２において、筐体１２の中央部にはホース収納部３６が形成され、その右側にバルブ類収納部３８を形成している。
【００２６】
ホース収納部３６にはＵ字型に形成したフレームパイプ４０が開口側に配置されている。フレームパイプ４０の両側にはホースバケット４２が取り付けられ、内部にホース収納空間を形成している。
【００２７】
ホースバケット４２及び筐体内壁で囲まれたホース収納部３６にはホース４４が内巻きして収納されている。ここで、右側のバルブ類収納部３８にはホース接続口４６が配置されており、ホース接続口４６にホース４４の１次側を接続した後、ホース４４をホース収納部３６に巻き込むことになるが、この場合のホース４４の巻き込みは、扉開口部１６から見て右巻きとなるようにホース４４を巻き込んでいる。
【００２８】
即ち、ホース接続口４６に接続したホース４４は、まずホース収納部３６の下側に巻き込まれ、その後に、右回りに収納部内に巻き込まれ、最後にノズル４８を装着したホース先端をＵ字型のフレームパイプ４０中央付近に取り付けられたホースガード４３の上部開口から右側に取り出し、右側のホースバケット４２に装着しているノズルホルダー５０にノズル４８を着脱自在に装着している。
【００２９】
ノズル４８は消火栓弁開閉レバー６０の近傍に配置して放水作業を行い易くしている。ホースガイド４３はホース４４を全て右側に引き出した際に、ホース接続口４６付近のフレームパイプ４０でホース４４が折れて放水障害になるのを防ぐためのものである。
【００３０】
このようなホース収納部３６に対するホース４４の右巻きした内巻きによる収納により、ホース４４の巻き込み開始部分４４ａはホース接続口４６から最短距離でホース収納部３６の下側部分に送り込まれる。
【００３１】
このため図７に示したように、ホース１１２を左巻きとしてホース巻き込み開始部分１１２ａをホース収納部の上部に送り込む場合のホース収納部から外れるホース部分（巻き込み半周程度）がなくなり、その分、ホース４４を短くでき、ホース収納部３６の容積が減ることで、結果的に筐体１２を薄型化できる。
【００３２】
また、ホース巻き込み開始部分４４ａは右巻きによりホース収納部３６の下側に送りこまれるため、ホース４４がホースバケット４２に当って摺動するようなことはなく、図７の従来のホース左巻きによりホースバケットに当って摺動することに対する保護の必要がなく、構造を簡単にできる。
【００３３】
またホース収納部３６に右巻きとして収納した後に取り出したホース先端のノズル４８は放水部を下向きにしてノズルホルダー５０に着脱自在に装着されており、放水部が下向きであることから、消火栓扉を開いてノズル４８を放水部を下に向けたまま外すことができ、消火栓弁５４に設けている消火栓弁開閉レバー６０を操作しない限り、放水されないが、火災時に操作する者にとっては不慣れであることから、放水口が自分に向かないことで、安心感をもってノズル４８を外すことができ、安全面でのメリットが大きい。
【００３４】
また放水部を下向きにして配置されたノズル４８の取り出しは、右手であっても、左手であっても、殆ど違和感なく、容易にグリップを掴んで外すことができる。
【００３５】
筐体１２に設けたホース収納部３６の右側に配置したバルブ類収納部３８には、ポンプ設備からの配管が接続される消火栓接続口５２からホース接続口４６に至る配管系統に、消火栓弁５４、自動調圧弁５６、自動排水弁５８を設けている。
【００３６】
即ち、消火栓接続口５２からの配管は消火栓弁５４の１次側に接続され、消火栓弁５４の２次側を自動排水弁５８の１次側に接続すると共に、自動調圧弁５６の１次側に接続している。自動調圧弁５６の２次側はホース接続口４６となり、ここにホース４４を接続している。
【００３７】
消火栓弁５４には直接に消火栓弁開閉レバー６０が装着されている。即ち消火栓弁開閉レバー６０が図示の水平位置の閉位置のとき、消火栓弁５４は閉状態であり、このとき配管内に消火用水が存在せず、圧がないことから自動排水弁５８は開状態にある。
【００３８】
消火栓弁開閉レバー６０を右回りに回動して下向きとなる開位置に操作すると、消火栓弁５６が開放位置に作動され、配管内に圧が上昇して自動排水弁５８は閉鎖位置に作動される。これによって、給水接続口５２から加圧された消火用水を自動調圧弁５６を通して所定圧に調圧した後、ホース４４側に供給するようにしている。
【００３９】
同時に消火栓弁開閉レバー６０の背後に設置しているスイッチがオンし、これによってポンプ設備に信号が送られ、ポンプ設備が起動される。放水を停止する際には、消火栓弁開閉レバー６０を元の水平位置に戻すと消火栓弁５４が閉じ、同時にスイッチがオフとなってポンプ設備の運転停止が行われる。
【００４０】
このように本実施形態にあっては、従来、消火栓扉に設けてワイヤー連結により消火栓弁を開閉していた消火栓弁開閉レバー６０を筐体１２側に配置して消火栓弁５４に直接設けたことで、消火栓扉１８の構造が簡略化され、薄型化と軽量化を達成することができる。
【００４１】
図３は、図１について内部構造を示した平面図である。図３において、ホース収納部３６は手前側にフレームパイプ４０が配置され、フレームパイプ４０の両側にはホースバケット４２が取り付けられ、ホース収納部３６を仕切り形成し、ホース４４が右巻きにより内巻き状態で収納されている。
【００４２】
図４は図１について内部構造を示した側面図である。図４において、筐体１２の前面の閉鎖状態にある消火栓扉１８は、ハンドル操作によりラッチを解除することで、ヒンジ２１を中心に１８ａで示す前方位置に開くことができる。
【００４３】
この場合、消火栓扉１８には従来のように、ノズルや消火栓弁開閉レバーが設けられていないことから軽量化されており、開放の際の衝撃を吸収するダンパーを必ずしも設ける必要はなく、扉開放位置の手前で作動する簡単なダンパ機構やバネ機構などの緩衝機構を設けるだけで良い。
【００４４】
図５は本発明による消火栓装置の第２実施形態を扉を外した状態で正面から示した説明図である。図５において、第２実施形態の基本的な構成は、図２に示した第１実施形態と同じであるが、ホース接続口４６をホース収納部３６の下側位置に下げ、更に、立下げ配管部６２の右側に自動排水弁６４を設けたことを特徴とする。
【００４５】
この第２実施形態の構成は、図２の第１実施形態においてホース収納部３６の下側のホース部分にホース巻き戻しの際に消火用水が残って滞留したままの状態となってしまうことを防止している。
【００４６】
即ち、図２の第１実施形態では、ホース接続口４６に接続したホース４４は、ホース巻き込み開始部分４４ａがホース収納部３６の下側に下がってから右巻きに巻き込まれており、ノズル４８を外してホース４４を引き出して消火した後、ホース４４内に消火用水が残っていると、ホース４４を巻き込んだ際に、ホース接続口４６より低いホース収納部３６に位置するホース４４の中に消火用水が残ったままとなる。
【００４７】
このようなホース収納部３６のホース下部での消火用水の滞留を防止するため、図５の第２実施形態では、ホース接続口４６からのびるホース４４が水平方向にのびるように、ホース接続口４６とホース収納部３６下部を同じ高さとして、さらにホース内の水が抜けるように自動排水弁５８を設けている。ホース接続口４６は筐体１２の下部に配置されるため、自動排水弁５８は右側水平方向へ配置されている。
【００４８】
このような構成により、ホースを右巻きして内巻き状態で収納する巻き込み作業の際に、ホースの水抜きを完全に行わずに消火用水が一部に残ったまま巻きこんでも、巻き込み後に自動的に排水され、ホース水抜き作業を簡単に済ますことができる。
【００４９】
図６は本発明による消火栓装置の第３実施形態を扉を外した状態で正面から示した説明図であり、図５の実施形態と同様、ホース収納部に巻き戻したホース内に消火用水が滞留しないようにしたことを特徴とする。
【００５０】
図６において、第３実施形態の基本的な構成は、図２に示した第１実施形態と同じであるが、ホース収納部３６の下に、通報接続扉２４に設けた機器に対する配線を通すための通線穴を形成する通線穴基台６６を配置し、ホース巻き込み開始部分４４ａの位置をホース接続口４６と略同レベルの高さとし、自動排水弁５８によりホース４４側についても圧がない状態で消火用水を排水できるようにしている。
【００５１】
図６でホース収納部３６の下側に配置した通線穴基台６６は、図２及び図５の第１及び第２実施形態では、ホース収納部３６の上部に配置されていたものであるが、図６の第３実施形態では、これを下側に配置変更してホース滞留水の排水を可能としている。
【００５２】
なお本発明はその目的と利点を損なうことのない適宜の変形を含み、更に上記の実施形態に示した数値による限定は受けない。
【図面の簡単な説明】
【００５３】
【図１】本発明による消火栓装置の第１実施形態を正面から示した説明図
【図２】図１について扉側を外して本体内部構造を示した正面図
【図３】図１について内部構造を示した平面図
【図４】図１について内部構造を示した側面図
【図５】本発明による消火栓装置の第２実施形態を正面から示した説明図
【図６】本発明による消火栓装置の第３実施形態を正面から示した説明図
【図７】従来の消火栓装置の扉を外して内部構造を示した正面図
【図８】従来の消火栓装置の扉を開放して内部構造を示した平面図
【図９】従来の消火栓装置の扉を開放して内部構造を示した側面図
【符号の説明】
【００５４】
１０：消火栓装置
１１：架台
１２：筐体
１４：化粧板
１６，１７：扉開口部
１８：消火器扉
１８：通報装置扉
２０，３４：ハンドル
２１，２３：ヒンジ
２２：保守扉
２４：通報装置扉
２６：赤色表示灯
２８：発信機
３０：応答ランプ
３２：消火器扉
３６：ホース収納部
３８：バルブ類収納部
４０：フレームパイプ
４２：ホースバケット
４４：ホース
４６：ホース接続口
４８：ノズル
５０：ノズルホルダー
５２：配管接続口
５４：消火栓弁
５６：自動調圧弁
５８，６４：自動排水弁
６０：消火栓弁開閉レバー
６２：立下げ配管部
６６：通線穴基台
【図１】
0005030171.tif 000002
【図２】
0005030171.tif 000003
【図３】
0005030171.tif 000004
【図４】
0005030171.tif 000005
【図５】
0005030171.tif 000006
【図６】
0005030171.tif 000007
【図７】
0005030171.tif 000008
【図８】
0005030171.tif 000009
【図９】
0005030171.tif 000010